(57)【要約】【課題】滑りにくい開閉式クリップを備えた複合筆記具を提供する。【解決手段】この複合筆記具１においては、クリップ本体２０にエラストマーからなる指当て部２１が形成されているので、開閉式クリップ８の指当て部２１に指の腹を当てながら、開閉式クリップ８をノックするように押し下げても、指が滑りにくい。特に、開閉式クリップ８を強くノックすることによってシャープペンシルの芯が先端から送り出されるタイプの複合筆記具にあっては、利用者がシャープペンシルの芯を送り出そうとして、開閉式クリップ８を強くノックした場合でも、指の腹が滑りにくくなっている。従って、この複合筆記具の開閉式クリップ８は、胸ポケットやノートなどに装着するときの本来の機能とノック機能とを併せもっているので、ノック時や開閉式クリップを開くときに、汗などで滑ることもなく、非常に使い易い。【選択図】図２
2008302675.tif 000002
【特許請求の範囲】
【請求項１】
軸筒の軸線方向にスライド自在な開閉式クリップを有する複合筆記具において、
前記開閉式クリップは、
リフィールに連結されて、前記軸線方向に延在する揺動自在なクリップ本体と、
前記クリップ本体の表面に設けられて、エラストマーからなる指当て部と、を備えたことを特徴とする複合筆記具。
【請求項２】
前記クリップ本体の基端部側に設けられた凹部が露出するように、前記指当て部には、前記凹部の開口の形状に対応する形状をもった穴部が設けられ、前記クリップ本体の前記表面に前記指当て部が二色成形によって形成されていることを特徴とする請求項１記載の複合筆記具。
【請求項３】
前記指当て部は、
前記凹部を囲むように前記クリップ本体の側面で延在する側面側指当て部と、
前記側面側指当て部に連続すると共に、前記クリップ本体の傾斜した頂面で延在するヘッド側指当て部とからなることを特徴とする請求項２記載の複合筆記具。
【発明の詳細な説明】
【技術分野】
【０００１】
本発明は、開閉式クリップを備えた複合筆記具に関するものである。
【背景技術】
【０００２】
従来、このような分野の技術として、特開２００５−１１１８７６号公報がある。この公報に記載された複合筆記具は、軸筒の軸線方向にスライド自在なノック部及び開閉式クリップを備え、ノック部を押し下ることにより、軸筒の先端からボールペンが突出し開閉式クリップを押し下げることにより、軸筒の先端からシャープペンシルが突出する。開閉式クリップは、軸筒のスリットに沿って摺動する押子にＵ字状の板バネを介して連結されているので、板バネの弾性力をもって、筆記具を胸ポケットやノートなどに確実に装着することができる。特に、この開閉式クリップは、硬質樹脂で成形されているが、板バネの採用によって、壊れ難く、耐久性が高いものになっている。
【０００３】
【特許文献１】特開２００５−１１１８７６号公報
【発明の開示】
【発明が解決しようとする課題】
【０００４】
しかしながら、開閉式クリップを指で押し下げようとすると、汗などで開閉式クリップから指が滑ってしまうことがある。特に、利用者がシャープペンシルの芯を送り出そうとして、開閉式クリップを強くノックするような場合、指が非常に滑り易くなるといった問題点がある。
【０００５】
本発明は、滑りにくい開閉式クリップを備えた複合筆記具を提供することを目的とする。
【課題を解決するための手段】
【０００６】
本発明に係る複合筆記具は、軸筒の軸線方向にスライド自在な開閉式クリップを有する複合筆記具において、
開閉式クリップは、リフィールに連結されて、軸線方向に延在する揺動自在なクリップ本体と、クリップ本体の表面に設けられて、エラストマーからなる指当て部と、を備えたことを特徴とする。
【０００７】
この複合筆記具においては、クリップ本体にエラストマーからなる指当て部が形成されているので、開閉式クリップの指当て部に指の腹を当てながら、開閉式クリップをノックするように押し下げても、指が滑りにくい。特に、開閉式クリップを強くノックすることによってシャープペンシルの芯が先端から送り出されるタイプの複合筆記具にあっては、利用者がシャープペンシルの芯を送り出そうとして、開閉式クリップを強くノックした場合でも、指の腹が滑りにくくなっている。従って、この複合筆記具の開閉式クリップは、胸ポケットやノートなどに装着するときの本来の機能とノック機能とを併せもっているので、ノック時や開閉式クリップを開くときに、汗などで滑ることもなく、非常に使い易い。
【０００８】
また、クリップ本体の基端部側に設けられた凹部が露出するように、指当て部には、凹部の開口の形状に対応する形状をもった穴部が設けられ、クリップ本体の表面に指当て部が二色成形によって形成されていると好適である。
開閉式クリップの外観を考慮して、クリップ本体の凹部の開口を指当て部によって完全に塞ぐことも可能であったが、クリップ本体の凹部の開口に対応する形状をもった穴部を指当て部に設けることで、穴部の周縁に指の腹が非常に引っ掛かり易くなり、簡単な構成をもって、指の滑り易さをより一層抑制することができる。
【０００９】
また、指当て部は、凹部を囲むようにクリップ本体の側面で延在する側面側指当て部と、側面側指当て部に連続すると共に、クリップ本体の傾斜した頂面で延在するヘッド側指当て部とからなると好適である。
側面側指当て部に穴部が設けられているので、指が引っ掛かり易くなり、軽い力で開閉式クリップを押し下げることができる。さらに、ヘッド側指当て部を強いノック力で押しても、指が滑りにくく、ノック力を開閉式クリップに確実に伝達することができる。特に、開閉式クリップを利用して、シャープペンシルの芯を送り出す場合は、強いノック力を必要とするので、ヘッド側指当て部をエラストマーで成形することは極めて有意義である。
【発明の効果】
【００１０】
本発明によれば、開閉式クリップを滑り難くできる。
【発明を実施するための最良の形態】
【００１１】
以下、図面を参照しつつ本発明に係る複合筆記具の好適な実施形態について詳細に説明する。なお、ペン先側を「前方側」として以下説明する。
【００１２】
図１に示すように、複合筆記具１は、３色のボールペン型リフィールとシャープペンシル型リフィールとを有している。このノック式複合筆記具１は、３本のボールペン型のリフィール２と、１本のシャープペンシル型リフィール３と、各リフィール２，３を収容する樹脂製の軸筒４と、軸筒４の後端に一体的に形成された突出部４ｃと、この突出部４ｃ内に装填された円柱状の消しゴム６と、消しゴム６を覆うように軸筒４の後端部に装着された樹脂製のキャップ７と、軸筒４の軸線Ｌ方向にスライド自在な開閉式クリップ８と、軸筒４に固定された滑り止め用のグリップ９とを備えている。
【００１３】
また、軸筒４は、前軸４ａと後軸４ｂとからなり、前軸４ａの後側に設けられた雄ネジ部と後軸４ｂの前側に設けられた雌ネジ部との螺合によって、前軸４ａと後軸４ｂは連結されている。このように、軸筒４を前軸４ａと後軸４ｂとに二分割することで、前軸４ａを外してリフィール２を容易に交換することができ、前軸４ａと後軸４ｂの材質を異ならせることができる。
【００１４】
さらに、軸筒４の後部には４本のガイド溝１０が形成され、４本のガイド溝１０のうちの３本のガイド溝１０ａに沿ってノック部１１が摺動し、各ノック部１１の先端は、リフィール２の後端に差し込まれている。開閉式クリップ８は、残りの１本のガイド溝１０ｂに沿って軸線Ｌ方向に可動し、開閉式クリップ８にＵ字状の板バネ１２を介して連結されたスライダ部１３の先端は、シャープペンシル型リフィール３の後端に差し込まれ、スライダ部１３がガイド溝１０ｂに沿って摺動する。
【００１５】
このような構成の複合筆記具１では、３個のノック部１１の何れかを指で押し下げることによって、軸筒４の先端からボールペンの先端を突出させることができ、開閉式クリップ８を指の腹で押し下げることによって、軸筒４の先端からシャープペンシルの先端を突出させることができる。そして、軸筒４から選択的に突出させた各リフィール２，３は、ノック部１１又は開閉式クリップ８を指で軽く押し下げることにより、リフィール２，３の先端を軸筒４内に格納することができる。
【００１６】
図２〜図４に示すように、軸筒４の軸線Ｌの方向にスライド自在な開閉式クリップ８は、シャープペンシル型リフィール３に対してスライダ部１３及び板バネ１２を介して連結されて、硬質樹脂（例えば、ポリカーボネート樹脂（ＰＣ）、アクリル樹脂（ＰＭＭＡ）など）からなる揺動自在なクリップ本体２０と、クリップ本体２０の表面２０ａの基端部側に設けられて、エラストマーからなる指当て部２１とを備え、軸線Ｌ方向に延在するクリップ本体２０の表面２０ａに指当て部２１がダブルモールドいわゆる二色成形によって形成されている。
【００１７】
このように、エラストマーからなる指当て部２１がクリップ本体２０に形成されているので、開閉式クリップ８の指当て部２１に指の腹を当てながら、開閉式クリップ８をノックするように押し下げる場合に、指が滑りにくい。特に、シャープペンシル型リフィール３と開閉式クリップ８とが連結された複合筆記具１にあっては、利用者がシャープペンシルの芯を送り出そうとして、開閉式クリップ８を強くノックした場合でも、指が滑りにくくなっている。従って、この複合筆記具１の開閉式クリップ８は、胸ポケットやノートなどに装着するときの本来の機能とノック機能とを併せもっているので、ノック時や開閉式クリップ８を開くときに、汗などで滑ることもなく、非常に使い易い。
【００１８】
クリップ本体２０の基端側すなわち板バネ１２側には凹部２２が設けられ、この凹部２２の開口２２ａは矩形をなしている。そして、凹部２２を形成する底壁２３には、板バネ１２の一端に設けられたＶ字状の引掛け部１２ａを落とし込むための窪み部２３ａが形成されている。なお、板バネ１２の他端は、スライダ部１３に差し込まれている（図１参照）。
【００１９】
さらに、クリップ本体２０の基端部側に設けられた凹部２２が露出するように、指当て部２１には、凹部２２の開口２２ａの形状に対応する形状をもった矩形の穴部２１ａが設けられ、この穴部２１ａは凹部２２に連通している。そして、クリップ本体２０の表面２０ａ側に指当て部２１が二色成形によって形成されている。
【００２０】
開閉式クリップ８の外観を考慮して、クリップ本体２０の凹部２２の開口２２ａを指当て部２１によって完全に塞ぐことも可能であったが、クリップ本体２０の凹部２２の開口２２ａに対応する形状をもった穴部２１ａを指当て部２１に設けることで、穴部２１ａの周縁に指の腹が非常に引っ掛かり易くなり、簡単な構成をもって、指の滑り易さをより一層抑制することができる。
【００２１】
この指当て部２１は、凹部２２を囲むようにクリップ本体２０の側面２０Ａで延在する側面側指当て部２１Ａと、側面側指当て部２１Ａに連続すると共に、クリップ本体２０の傾斜した頂面２０Ｂで延在するヘッド側指当て部２１Ｂとからなる。側面側指当て部２１Ａの表面は、斜切りされた円柱の周面をなし、ヘッド側指当て部２１Ｂの表面は、略半円をなしている。
【００２２】
そして、側面側指当て部２１Ａに穴部２１ａが設けられているので、指が引っ掛かり易くなり、軽い力で開閉式クリップ８を押し下げることができる。さらに、ヘッド側指当て部２１Ｂを強いノック力で押しても、指が滑りにくく、ノック力を開閉式クリップ８に確実に伝達することができる。特に、シャープペンシル型リフィール３と開閉式クリップ８とが連結された複合筆記具１にあっては、開閉式クリップ８を利用して、シャープペンシルの芯を送り出す場合、強いノック力を必要とするので、ヘッド側指当て部２１Ｂをエラストマーで成形することは極めて有意義である。
【００２３】
本発明は、前述した実施形態に限定されないことは言うまでもない。例えば、複合筆記具は、ボールペン型リフィールのみを備えたものであってもよい。また、穴部２１ａは、矩形の他に楕円などであってもよい。また、クリップ本体２０の外側表面の全体に渡って指当て部が二色成形によって形成されていてもよい。また、クリップ本体２０に指当て部が接着剤を介して固定されていてもよい。
【図面の簡単な説明】
【００２４】
【図１】本発明に係る複合筆記具の一実施形態を示す断面図である。
【図２】本発明に係る複合筆記具に適用する開閉式クリップを示す斜視図である。
【図３】開閉式クリップの正面図である。
【図４】開閉式クリップの側面図である。
【図５】図３のＶ−Ｖ線に沿う断面図である。
【符号の説明】
【００２５】
１…複合筆記具、２，３…リフィール、４…軸筒、８…開閉式クリップ、２０…クリップ本体、２０Ａ…クリップ本体の側面、２０Ｂ…クリップ本体の頂面、２１…指当て部、２１ａ…穴部、２１Ａ…側面側指当て部、２１Ｂ…ヘッド側指当て部、２２…凹部、２２ａ…開口、Ｌ…軸線。
【図１】
2008302675.tif 000003
【図２】
2008302675.tif 000004
【図３】
2008302675.tif 000005
【図４】
2008302675.tif 000006
【図５】
2008302675.tif 000007